(57)【特許請求の範囲】
【請求項１】
画像を表示する表示部と、
項目を複数のグループに分け、この複数のグループを、一定の方向に並べて上記表示部に表示する表示制御部と、
縦長の円柱形状を有し、上記表示部の近傍に配置され、その表面のタッチ位置、および摺動方向を検知可能な入力操作部材と、
上記入力操作部材へのタッチ位置および摺動方向に応じて上記項目に対する入力を制御する入力制御部と、を備え、
上記入力制御部は、上記入力操作部材の上記タッチ位置に応じて、上記複数のグループの中から対応するグループを指定するグループ指定部と、
上記グループ指定部によって指定されたグループの中から、上記入力操作部材によって検知された摺動方向に応じて、上記項目を順次、指定する項目指定部と、
を有し、
さらに、上記入力操作部材は、所定の回転負荷以上で回転操作された際に、その軸を中心に回転自在となるように設けられ、
上記入力操作部材の回転操作によって回転される当該入力操作部材の回転を検出する回転検出部と、
を有し、
上記入力操作部材の上記回転操作を検出した場合には、上記タッチ位置と摺動方向の位置の検出を行わず、上記回転操作に応じて上記表示部の表示形態を変更、またはサムネイル画像のスクロールを行い、一方、回転操作を検出しない場合には、上記タッチ位置と摺動方向位置の検出を行い、上記グループ指定部および上記項目指定部によって、指定されたグループの中から項目を順次、指定する、
ことを特徴とする入力装置。
【請求項２】
項目を複数のグループに分け、この複数のグループを、一定の方向に並べて表示する表示部の近傍に、縦長の円柱形状で、所定の回転負荷以上で回転操作された際に、その軸を中心に回転自在であり、表面のタッチ位置、摺動方向、および回転を検知可能な入力操作部材を有する入力装置の入力方法において、
上記入力操作部材の上記タッチ位置に応じて、上記複数のグループの中から対応するグループを指定し、
上記指定されたグループの中から、上記入力操作部材によって検知された摺動方向に応じて、上記項目を順次、指定し、
上記入力操作部材の回転操作を検出した場合には、上記タッチ位置と摺動方向の位置の検出を行わず、上記回転操作に応じて上記表示部の表示形態を変更、またはサムネイル画像のスクロールを行う、
ことを特徴とする入力方法。
【請求項３】
上記複数のグループのいずれかのグループが指定されるまでは上記項目を隠し、上記グループが指定されると指定されたグループに属する上記項目を表示することを特徴とする請求項２に記載の入力方法。
【請求項４】
画像を表示する表示部と、
操作可能な画像を分けて複数の画像グループとし、当該複数の画像グループを、各画像グループの少なくとも一部が一定の方向に順番に並ぶように上記表示部に表示する表示制御部と、
縦長の円柱形状を有し、円柱表面の周方向および軸方向への摺動操作により、上記表示部に表示される操作可能な画像に対する操作を入力するための円柱部材と、
上記摺動操作がなされた上記円柱部材の周方向および軸方向での位置を検出する摺動位置検出部と、
上記円柱部材への摺動操作に応じて上記画像グループに対する入力を制御する入力制御部と、を備え、
上記入力制御部は、上記摺動位置検出部によって検出され上記摺動操作がなされた円柱部材の位置に応じて、上記各画像グループの中から対応する画像グループを選択するグループ選択部を有し、
上記グループ選択部は、上記一定の順番で並ぶようにされた各画像グループの少なくとも一部を基準として各画像グループの割り当て順番を決めると共に、上記摺動操作が行われた上記円柱部材の軸方向での位置である操作位置と上記割り当て順番等を関係付けて、上記操作位置に対応する画像グループを上記各画像グループの中から選択し、
上記入力制御部は、当該選択された画像グループに属する操作可能な画像に対して当該摺動操作を適用し、上記摺動位置検出部によって検出された上記周方向の位置に応じて画像を選択するように制御し、
さらに上記円柱部材は、所定の回転負荷以上で回転操作された際に、その軸を中心に回転自在となるように設けられ、
上記摺動操作によって回転される当該円柱部材の回転を検出する回転検出部と、
を備え、
上記円柱部材の回転操作を検出した場合には、上記操作位置の検出を行わず、上記回転操作に応じて上記表示部の表示形態を変更、またはサムネイル画像のスクロールを行う、
ことを特徴とする入力装置。
【請求項５】
上記円柱部材は、上記表示部に対して、その軸方向が画面の縦横のいずれかの方向で並行になるように配置され、
上記表示制御部は、上記各画像グループが並ぶ一定の方向として、上記円柱部材の軸方向に沿って各画像グループが順番に並ぶように表示し、
上記グループ選択部は、上記割り当て順番と操作位置について両者を並んだ順に沿って関係付ける、
ことを特徴とする請求項４に記載の入力装置。
【請求項６】
上記グループ選択部は、上記円柱部材の表面領域を軸方向に沿って分割し、分割された各領域を並んだ順番で各画像グループに割り当てておき、摺動操作がなされた場合に、上記操作位置が属する領域に対応する画像グループを選択することを特徴とする請求項４に記載の入力装置。
【請求項７】
上記円柱部材の上記円柱表面には、タッチパッドが設けられていることを特徴とする請求項４に記載の入力装置。
【請求項８】
上記表示制御部は、上記操作可能な画像としてメニュー画像を表示し、当該メニュー画像からなる複数の画像グループを表示することを特徴とする請求項４に記載の入力装置。
【請求項９】
請求項４に記載の入力装置は、携帯機器に備えられ、
上記表示部は上記携帯機器の筺体の表面に設けられ、
上記円柱部材は、上記表示部が配置された筺体面の側面に設けられている、
ことを特徴とする請求項４に記載の入力装置。
【発明の詳細な説明】
【技術分野】
【０００１】
本発明は、入力装置および入力方法に関し、詳しくは、情報入力用の表示画面を有するカメラ等の携帯機器において、情報の入力を行うための入力装置および入力方法に関する。
【背景技術】
【０００２】
動作条件や機器の各種条件が多数ある携帯機器等においては、動作条件や各種条件の設定を行うために、２次元的なメニュー画面が利用される。このような２次元的なメニュー画面に対する入力操作として、タッチパネルのように画面の項目をダイレクト選択できる入力装置が最も簡単である。しかし、それ以外の通常の携帯機器では、ボタンキー（例えば、４方向操作キー、いわゆる十字キー）を設け、このボタンキーによって上下左右操作を行いながら設定するのが一般的である。
【０００３】
例えば、デジタルカメラの例であるが、特許文献１には、各種撮影条件をメニュー化してページに分けて表示を行い、４方向キーを操作することによって設定を行うカメラが開示されている。また、入力手段としては、ボタンキーのような押圧キー以外にも、ジョグダイヤルを採用した機器もある。例えば、携帯電話の例であるが、特許文献２には、機器に２つのジョグダイヤルを備え、２つのジョグダイヤルを上下用と左右用に分け、カーソルを移動させるようにした情報入力操作ユニットが開示されている。
【先行技術文献】
【特許文献】
【０００４】
【特許文献１】特開２００９−１０５９４６号公報
【特許文献２】特開２００１−２８２４３５号公報
【発明の概要】
【発明が解決しようとする課題】
【０００５】
上述したように、２次元的なメニュー画面は種々提案されており、また、メニュー画面以外にも、例えばサムネイル画像も２次元的に配置表示される。このように項目が２次元的に配置表示される画面は多々あるが、ダイレクトに画面を選択できるようなタッチパネル以外の入力操作手段では、所望の項目を選択するために複数回の操作が必要になり、スピーディに選択することができない。
【０００６】
本発明は、このような事情を鑑みてなされたものであり、項目等が２次元的に配置された画面からスピーディに所望の項目を指定できる入力装置および入力方法を提供することを目的とする。
【課題を解決するための手段】
【０００７】
上記目的を達成するため第１の発明に係わる入力装置は、画像を表示する表示部と、項目を複数のグループに分け、この複数のグループを、一定の方向に並べて上記表示部に表示する表示制御部と、縦長の円柱形状を有し、上記表示部の近傍に配置され、その表面のタッチ位置、および摺動方向を検知可能な入力操作部材と、上記入力操作部材へのタッチ位置および摺動方向に応じて上記項目に対する入力を制御する入力制御部と、を備え、上記入力制御部は、上記入力操作部材の上記タッチ位置に応じて、上記複数のグループの中から対応するグループを指定するグループ指定部と、上記グループ指定部によって指定されたグループの中から、上記入力操作部材によって検知された摺動方向に応じて、上記項目を順次、指定する項目指定部と、を有し、さらに、上記入力操作部材は、所定の回転負荷以上で回転操作された際に、その軸を中心に回転自在となるように設けられ、上記入力操作部材の回転操作によって回転される当該入力操作部材の回転を検出する回転検出部と、を有し、上記入力操作部材の上記回転操作を検出した場合には、上記タッチ位置と摺動方向の位置の検出を行わず、上記回転操作に応じて上記表示部の表示形態を変更、またはサムネイル画像のスクロールを行い、一方、回転操作を検出しない場合には、上記タッチ位置と摺動方向位置の検出を行い、上記グループ指定部および上記項目指定部によって、指定されたグループの中から項目を順次、指定する。
【０００８】
第２の発明に係わる入力方法は、項目を複数のグループに分け、この複数のグループを、一定の方向に並べて表示する表示部の近傍に、縦長の円柱形状で、所定の回転負荷以上で回転操作された際に、その軸を中心に回転自在であり、表面のタッチ位置、摺動方向、および回転を検知可能な入力操作部材を有する入力装置の入力方法において、上記入力操作部材の上記タッチ位置に応じて、上記複数のグループの中から対応するグループを指定し、上記指定されたグループの中から、上記入力操作部材によって検知された摺動方向に応じて、上記項目を順次、指定し、上記入力操作部材の回転操作を検出した場合には、上記タッチ位置と摺動方向の位置の検出を行わず、上記回転操作に応じて上記表示部の表示形態を変更、またはサムネイル画像のスクロールを行う。
第３の発明に係わる入力方法は、上記第２の発明において、上記複数のグループのいずれかのグループが指定されるまでは上記項目を隠し、上記グループが指定されると指定されたグループに属する上記項目を表示する。
【０００９】
第４の発明に係わる入力装置は、画像を表示する表示部と、操作可能な画像を分けて複数の画像グループとし、当該複数の画像グループを、各画像グループの少なくとも一部が一定の方向に順番に並ぶように上記表示部に表示する表示制御部と、縦長の円柱形状を有し、円柱表面の周方向および軸方向への摺動操作により、上記表示部に表示される操作可能な画像に対する操作を入力するための円柱部材と、上記摺動操作がなされた上記円柱部材の周方向および軸方向での位置を検出する摺動位置検出部と、上記円柱部材への摺動操作に応じて上記画像グループに対する入力を制御する入力制御部と、を備え、上記入力制御部は、上記摺動位置検出部によって検出され上記摺動操作がなされた円柱部材の位置に応じて、上記各画像グループの中から対応する画像グループを選択するグループ選択部を有し、上記グループ選択部は、上記一定の順番で並ぶようにされた各画像グループの少なくとも一部を基準として各画像グループの割り当て順番を決めると共に、上記摺動操作が行われた上記円柱部材の軸方向での位置である操作位置と上記割り当て順番等を関係付けて、上記操作位置に対応する画像グループを上記各画像グループの中から選択し、上記入力制御部は、当該選択された画像グループに属する操作可能な画像に対して当該摺動操作を適用し、上記摺動位置検出部によって検出された上記周方向の位置に応じて画像を選択するように制御し、さらに上記円柱部材は、所定の回転負荷以上で回転操作された際に、その軸を中心に回転自在となるように設けられ、上記摺動操作によって回転される当該円柱部材の回転を検出する回転検出部と、を備え、上記円柱部材の回転操作を検出した場合には、上記操作位置の検出を行わず、上記回転操作に応じて上記表示部の表示形態を変更、またはサムネイル画像のスクロールを行う。
【００１０】
第５の発明に係わる入力装置は、上記第４の発明において、上記円柱部材は、上記表示部に対して、その軸方向が画面の縦横のいずれかの方向で並行になるように配置され、上記表示制御部は、上記各画像グループが並ぶ一定の方向として、上記円柱部材の軸方向に沿って各画像グループが順番に並ぶように表示し、上記グループ選択部は、上記割り当て順番と操作位置について両者を並んだ順に沿って関係付ける。
【００１１】
第６の発明に係わる入力装置は、上記第４の発明において、上記グループ選択部は、上記円柱部材の表面領域を軸方向に沿って分割し、分割された各領域を並んだ順番で各画像グループに割り当てておき、摺動操作がなされた場合に、上記操作位置が属する領域に対応する画像グループを選択する。
【００１２】
第７の発明に係わる入力装置は、上記第４の発明において、上記円柱部材の上記円柱表面には、タッチパッドが設けられている。
【００１４】
第８の発明に係わる入力装置は、上記第４の発明において、上記表示制御部は、上記操作可能な画像としてメニュー画像を表示し、当該メニュー画像からなる複数の画像グループを表示する。
【００１５】
第９の発明に係わる入力装置は、第４の発明において、第４の発明の入力装置は、携帯機器に備えられ、上記表示部は上記携帯機器の筺体の表面に設けられ、上記円柱部材は、上記表示部が配置された筺体面の側面に設けられている。
【発明の効果】
【００１６】
本発明によれば、項目等が２次元的に配置された画面からスピーディに所望の項目を指定できる入力装置および入力方法を提供することができる。
【図面の簡単な説明】
【００１７】
【図１】本発明の一実施形態に係わるデジタルカメラの主として電気回路の構成を示すブロック図である。
【図２】本発明の一実施形態に係わるデジタルカメラのローラ部の詳細を示すブロック図である。
【図３】本発明の一実施形態に係わるデジタルカメラの背面から見た外観斜視図である。
【図４】本発明の一実施形態に係わるデジタルカメラにおいて、撮影時の表示部を示す図である。
【図５】本発明の一実施形態におけるデジタルカメラにおいて、再生時の表示を示す図である。
【図６】本発明の一実施形態におけるデジタルカメラにおいて、メニュー設定時の表示を示す図である。
【図７】本発明の一実施形態におけるデジタルカメラにおいて、メニュー画像以外のグループ画像の操作の様子を示す図である。
【図８】本発明の一実施形態におけるデジタルカメラにおいて、ローラ部材の回転操作により、画像を切り換える様子を示す図である。
【図９】本発明の一実施形態におけるデジタルカメラにおいて、再生時における電子ズーム操作を示す図である。
【図１０】本発明の一実施形態に係わるデジタルカメラの動作を示すフローチャートである。
【図１１】本発明の一実施形態に係わるデジタルカメラの回転操作処理の動作を示すフローチャートである。
【図１２】本発明の一実施形態に係わるデジタルカメラのグループ画像別操作処理の動作を示すフローチャートである。
【図１３】本発明の一実施形態に係わるデジタルカメラのズーム処理の動作を示すフローチャートである。
【図１４】本発明の一実施形態に係わるデジタルカメラのローラ部の変形例を示す図であり、（ａ）は変形例１、（ｂ）は変形例２である。
【図１５】本発明の一実施形態に係わるデジタルカメラのローラ部の変形例３を示す図であり、（ａ）はローラ部材の配置を示し、（ｂ）はローラ部材と表示部における表示位置の関係を示す図である。
【発明を実施するための形態】
【００１８】
以下、図面に従って本発明を適用したデジタルカメラを用いて好ましい実施形態について説明する。本発明の好ましい一実施形態に係わるデジタルカメラは、撮像部を有し、この撮像部によって被写体像を画像データに変換し、この変換された画像データに基づいて、被写体像を本体の背面に配置した表示部にライブビュー表示する。撮影者はライブビュー表示を観察することにより、構図やシャッタチャンスを決定する。レリーズ操作時には、画像データが記録媒体に記録される。記録媒体に記録された画像データは、再生モードを選択すると、表示部に再生表示することができる。
【００１９】
図１は、本発明の一実施形態に係わるデジタルカメラの構成を示すブロック図である。制御部（ＣＰＵ：Central Processing Unit）１１は、プログラム／データ記憶部１２に記憶された制御プログラムに従って動作し、デジタルカメラの全体制御を行う。制御部１１内には、入力制御部１１ａ、グループ選択部１１ｂ、表示制御部１１ｃが設けられている。制御部１１内の１１ａ〜１１ｃは、制御プログラムにより実行される処理の一部であるので、制御部１１に含まれる機能部として説明する。
【００２０】
入力制御部１１ａは、ボタン操作部１３およびローラ部１４からユーザによる入力指示情報を入力する。グループ選択部１１ｂは、詳しくは後述するローラ１４０の摺動操作位置に応じて、各画像グループの中から対応する画像グループを選択する。ここで画像グループは、後述するモードメニュー、撮影モードの第１階層メニュー、第２階層メニューや、アルバム画像等に相当し、各画像グループは、複数の画像を含んでいる。例えば、モードメニューであれば、撮影モードのアイコン、再生モードのアイコン、設定メニューのタブ画像等を有している。
【００２１】
制御部１１内の表示制御部１１ｃは、入力制御部１１ａによって入力制御されたユーザからの入力指示情報に基づいて、表示部２７における表示制御を行う。すなわち、ローラ１４０やボタン操作部１３によって入力指示された情報に基づいて、表示部２７に表示する画像グループや各画像グループにおける画像（アイコン等）の表示制御を行う。例えば、ユーザがローラ１４０によって撮影モードを選択し、さらに撮影モードのいずれかのアイコンを選択した場合には、選択したアイコンに応じた撮影モード第２階層のメニューの表示制御を行う。これらの表示制御の詳細については、図５ないし図９を用いて後述する。
【００２２】
制御部１１には、プログラム及びデータ記憶部１２、ボタン操作部１３、ローラ部１４、及びバス３０が接続されている。プログラム及びデータ記憶部１２には前述したように制御部１１において実行するプログラムが記憶されており、また各種データも記憶されている。ボタン操作部１３は、ユーザがカメラに指示を与えるための各種操作部材を含み、電源釦、レリーズ釦等を有する。
【００２３】
ローラ部１４は、ローラ１４０とローラ検出部１６から構成されている。ローラ１４０は円柱形状をしており、中心軸を回転中心として回転可能である（図２、図３参照）。ただし、ローラ１４０の回転負荷は重く、ユーザが軽く触れただけでは回転しないよう設定されている。また、ローラ１４０の周面には、タッチパッド１４１（図２参照）が配置されており、ローラ検出部１６は、ユーザのタッチ位置を検出する。また、ローラ検出部１６は、ユーザの操作によってローラ１４０が回転するとその回転量および回転方向を検出する。ローラ１４０、ローラ検出部１６の詳細については、図２を用いて後述する。
【００２４】
バス３０には、前述の制御部１１の他に、撮像部２０、ＳＤＲＡＭ２１、画像処理部２２、圧縮伸張部２３、記録再生部２４、表示処理部２６が接続されている。撮像部２０は、被写体像を結像させるための撮影レンズ、被写体像を画像データに変換するための撮像素子、及びこれらの処理回路、撮影レンズの光路中に介挿された絞り及びシャッタ等を含む。また、撮影レンズの焦点距離を変化させる焦点距離調整機構を有する。撮像部２０によって生成された画像データはバス３０に出力される。
【００２５】
ＳＤＲＡＭ（Dynamic Random Access Memory）２１は電気的に書き換え可能な揮発性の一時記憶メモリであり、撮像部２０から出力される静止画や動画の画像データ等の一時記憶に用いられる。画像処理部２２は、画像データのデジタル的増幅（デジタルゲイン調整処理）、ホワイトバランス、色補正、ガンマ（γ）補正、コントラスト補正、ライブビュー表示用画像生成、記録用静止画像生成、動画画像生成等の各種の画像処理を行なう。
【００２６】
また圧縮伸張部２３はＳＤＲＡＭ２１に一時記憶された静止画や動画の画像データをＪＰＥＧやＴＩＦＦ等の圧縮方式により圧縮し、また表示等のために伸張する回路である。なお、画像圧縮はＪＰＥＧやＴＩＦＦに限らず、他の圧縮方式も適用できる。
【００２７】
表示処理部２６は、撮影時にはライブビュー表示を、再生時には再生画像を、表示部２７に表示させる。また、制御部１１内の表示制御部１１ｃからの指示に基づき、撮影メニュー画像の作成と、作成された撮影メニュー画像をライブビュー画像に合成する処理を行う。同様に、再生時の再生メニュー画像の作成やメニュー設定時におけるメニュー画像の作成を行う。撮影メニュー画像等の画像データも表示処理部２６に格納されている。
【００２８】
表示部２７は、表示処理部２６に接続されており、デジタルカメラ１０の本体の背面等に図３に示すように配置された液晶モニタや有機ＥＬ等のディスプレイを有し、表示処理部２６の制御によりディスプレイの画面に所定の画像が表示される。
【００２９】
記録再生部２４は、圧縮伸張部２３において圧縮された画像データを画像記憶部２５に記憶し、また、画像記憶部２５に記憶された撮影画像の画像データを読み出す。この読み出された画像データは、圧縮伸張部２３において伸張され、この伸張された画像データに基づいて、表示部２７に画像が再生表示される。画像記憶部２２は、記録再生部２１に接続されており、デジタルカメラ本体に内蔵、または装填可能な画像データの記録媒体である。
【００３０】
次に、ローラ部１４について、図２および図３を用いて説明する。ローラ部１４を構成するローラ１４０は、図３に示すように、デジタルカメラ１０の背面の側端部に配置されている。すなわち、デジタルカメラ１０の背面には、表示部２７が配置され、その脇には、ボタン操作部１３が配置され、さらにその脇であって、デジタルカメラ１０の側端部に沿ってローラ１４０が配置されている。
【００３１】
ローラ１４０は、円柱形状をしており、その周面全体に、タッチパッド１４１が設けられている。ローラ１４０の周面に配置されたタッチパッド１４１は、タッチされた指の位置を検出するためのタッチセンサを有する。タッチセンサとしては、例えば、抵抗性検出、表面弾性波検出、圧力検出、容量性検出等の検出方法により検知するセンサが使用できる。このタッチセンサは、タッチパッド１４１にｘ，ｙ位置を検出できるようにグリッド状に配置されている。
【００３２】
よって、指がローラ１４０のタッチパッド１４１に触れると、まず、接触開始位置ｘ０，ｙ０を検出し、更にその状態で指が移動すると、移動した位置をｘ１，ｙ１とし、指の移動に応じて適宜検出していく。このため、図２（ｂ）に示すように、ローラ１４０での上下方向の摺動と、左右方向の摺動を、タッチパッド１４１によって検出することができる。タッチパッド１４１からの信号出力は、非接触（例えば、電磁結合等）によりデジタルカメラ１０のローラ検出部１６に送信される。
【００３３】
また、ローラ１４０は、円柱形状の中心軸回りに回転可能に構成されている。ただし、この回転負荷は大きめに設定されており、ユーザの左右方向への軽い力ではローラ１４０自体は回転されず、左右への摺動操作のみ検出される。また、ローラ１４０の回転を検出ためにエンコーダ部１４２が設けられている。このエンコーダ部１４２は、例えば、光方式のエンコーダであり、デジタルカメラ１０の本体に受発光素子が設けられ、ローラ１４０に発光素子からの光を反射する反射部材が設けられている。なお、エンコーダの方式は、本実施形態における光学式に限らず、磁気式であってもよい。
【００３４】
ローラ１４０は、タッチパッド１４１、エンコーダ部１４２にから構成されている。ユーザは、ローラ１４０上で、上下方向でいずれかの位置にタッチすることができ、また上下方向の摺動、左右方向の摺動、そしてローラ１４０自体の回転を行うことができる。
【００３５】
ローラ検出部１６は、図２（ａ）に示すように、タッチパッド１４１からの検出信号を入力し、上下・左右摺動操作の方向および量を検出する摺動方向・量検出部１６１と、上下方向の接触位置を検出する接触位置検出部１６２を有する。また、ローラ検出部１６は、エンコーダ部１４２からの検出信号を入力し、回転方向・回転角度の検出を検出する回転方向・角度検出部１６３を有する。
【００３６】
次に、ローラ１４０の操作と表示部２７における表示について、図４ないし図９を用いて説明する。まず、図４を用いて撮影時の表示について説明する。デフォルト状態では、図４（ａ）に示すように、表示部２７の最下段表示部２７１にモードメニューが表示され、最下段表示部２７１の上側の中段表示部２７２に撮影モードの第１階層メニューが表示される。中段表示部２７２より上側には、ライブビュー画像が表示される。
【００３７】
図４（ａ）に示す例では、最下段表示部２７１のモードメニューとしては、撮影モード、再生モード、設定モードが表示され、中段表示部２７２の撮影モードの第１階層メニューとしては、画質、ＩＳＯ感度（自動）、ホワイトバランス（自動）、マクロ（オフ）、露出補正（なし）、タイマー（オフ）、ストロボ（自動）、顔選択（オフ）が表示されている。ローラ１４０の回転軸方向の長さの半分（Ｌ／２）から下は最下段表示部２７１に対応する領域１４０ｂであり、半分（Ｌ／２）から上は中段表示部２７２に対応する領域１４０ａである。
【００３８】
図４（ａ）に示されるデフォルト表示の状態で、ユーザがローラ１４０の上半分の領域１４０ａに軽くタッチし、指を右側に摺動すると、図４（ｂ）に示すように、領域１４０ａに対応する中段表示部２７２の撮影モードの第１階層メニューのアイコンを指示するためのカーソル２７５が表示されて、右に移動する。このカーソル２７５は、指の移動に合わせて、中段表示部２７２の上部を左右にスクロールする。
【００３９】
図４（ｂ）の状態で、ユーザが指の摺動を所定時間（例えば、１秒程度）の間、停止すると、停止位置に対応するアイコンの第２階層メニュー（サブメニュー）が上段表示部２７３に表示される。図４（ｃ）に示す例は、カーソル２７５がホワイトバランス（ＷＢ）に来た際に、ユーザが摺動を停止した例である。ホワイトバランスが選択され、ホワイトバランスの第２階層メニュー、すなわち、自動、屋外晴天、屋外曇天、蛍光灯等のアイコンが表示されている。
【００４０】
上段表示部２７３に撮影モードの第２階層メニューが表示されると、図４（ｄ）に示すように、上段表示部２７３の撮影モードの第２階層メニューの各アイコンを指示するためのカーソル２７６が表示される。また、選択できるメニューが増えたことに対応して、ローラ１４０の領域は３分割され、ローラ１４０の回転軸方向の長さのＬ／３から下は最下段表示部２７１に対応する領域１４０ｅであり、その上のＬ／３は中段表示部２７２に対応する領域１４０ｄであり、その上のＬ／３は上段表示部２７３に対応する領域１４０ｃである。
【００４１】
図４（ｄ）の状態で、ユーザが摺動を所定時間（例えば、１秒程度）の間、停止すると、停止位置に対応するアイコン（図４（ｄ）の例では、屋外晴天）に対応するモードが設定される。
【００４２】
このように、撮影時に、撮影モードの第１階層に対応するローラ１４０の領域１４０ｂを、ユーザが左右に摺動することで、第１階層のメニューを選択することができ、第１階層のメニュー選択後に第２階層に対応するローラ１４０の領域１４０ｃを、ユーザが左右に摺動することで、第２階層のメニューを選択することができる。なお、サブメニューは、第１階層メニューのいずれかの特定されたアイコンに対応するものが表示されると説明したが、図４（ｂ）でカーソル２７５が位置するアイコンのサブメニューが常に表示されるものとして、カーソル２７５の移動に伴って、サブメニューが次々に切り換わって表示されるようにしてもよい。
【００４３】
次に、図５を用いて再生時の表示について説明する。図５（ａ）に示すデフォルト表示状態において、最下段表示部２７１に対応するローラ１４０の領域１４０ｂを、ユーザが軽くタッチし左右いずれかに摺動すると、図５（ａ）に示すように、移動に応じてアイコンが選択され、選択されたアイコンが点滅表示する。再生モードを示すアイコンが点滅している状態で、ユーザが摺動を所定時間（例えば、１秒）の間、停止すると、再生モードが選択される。
【００４４】
再生モードが選択され設定されると、図５（ｂ）に示すように、表示部２７には再生画像が表示され、また、表示部２７の中段表示部２７２には、再生モードの第１階層メニューが表示される。図５（ｂ）に示す例は、再生モードの第１階層メニューとして、消去、アルバム、スライドショー、印刷を示す各アイコンが表示される。
【００４５】
図５（ｂ）に示される再生モードの表示の状態で、ユーザがローラ１４０の上半分の領域１４０ａに軽くタッチし指を右側に摺動すると、図５（ｃ）に示すように、領域１４０ａに対応する中段表示部２７２の再生モードの第１階層メニューのアイコンを指示するためのカーソル２７５が表示される。このカーソル２７５は、撮影モードの場合と同様に、指の移動に合わせて、中段表示部２７２の上部を左右にスクロールする。
【００４６】
図５（ｃ）の状態で、ユーザが指で摺動することを所定時間（例えば、１秒程度）の間、停止すると、中段表示部２７２に停止した位置に対応するアイコンの第２階層メニューが表示される。図５（ｄ）に示す例は、カーソル２７５がスライドショーに位置した際に、指の摺動が停止された例である。スライドショーが選択され、スライドショーの第２階層メニュー、すなわち、ＢＧＭ無しでのスライドショー、ＢＧＭ有りで、タイプＡ〜タイプＣが選択項目として表示された様子を示す。
【００４７】
上段表示部２７３に再生モードの第２階層メニューが表示されると、図５（ｄ）に示すように、上段表示部２７３の再生モードの第２階層メニューを指示するためのカーソル２７６が表示される。また、ローラ１４０の領域は、撮影モードの場合と同様に領域１４０ｃ〜１４０ｅに３分割される。そして、図５（ｄ）の状態で、ユーザが指で摺動することを所定時間（例えば、１秒程度）の間、停止すると、停止した位置に対応する再生条件に対応するモードが設定される。なお、撮影モードの場合には、領域１４０ｃを左右に摺動すると、カーソル２７６も左右に移動したが、再生モードの場合には、領域１４０ｃを左右に摺動すると、カーソル２７６は上下に移動する。
【００４８】
このように、再生モードの場合においても、再生モードの第１階層に対応するローラ１４０の領域１４０ｂを左右に摺動することで、第１階層のメニューを選択することができ、第１階層のメニュー選択後に第２階層に対応するローラ１４０の領域１４０ｃを左右に摺動することで、第２階層のメニューを選択することができる。
【００４９】
次に、図６を用いて設定モード時の表示について説明する。図６（ａ）に示すデフォルト状態において、最下段表示部２７１に対応するローラ１４０の領域１４０ｂを、ユーザが軽くタッチし左右いずれかに摺動すると、図６（ａ）に示すように、移動に応じて選択されたアイコンが点滅表示する。設定モードを示すアイコンが点滅している状態で、ユーザが摺動を所定時間（例えば、１秒程度）の間、停止すると、設定モードが選択される。
【００５０】
設定モードが選択され、設定されると、表示部２７には、ライブビュー画像や再生画像は消去され、図６（ｂ）に示すように、設定のためのメニュー画像が表示される。図６（ｂ）に示す例では、メニュー画像としては、第１タブから第４のタブの４つのタブが表示され、第１のタブには、カード初期化、データコピー等の設定条件が表示される。また、メニュー画像の下側の最下段表示部２７１には、モードメニューが表示される。
【００５１】
設定モードが選択されると、ローラ１４０の領域は５分割され、その上側の領域１４０ｆ〜１４０ｉは、メニュー画像の第１タブから第４タブにそれぞれ対応し、一番下側の領域１４０ｊは最下段表示部２７１に表示されるモードメニューに対応する。
【００５２】
図６（ｂ）に示される設定モードの表示の状態で、ユーザがローラ１４０の領域１４０ｆから領域１４０ｉのいずれかを軽くタッチすると、対応するタブの設定条件が表示される。図６（ｃ）に示す例は、領域１４０ｈをタッチし、第３のタブが選択された様子を示す。
【００５３】
領域１４０ｈを軽くタッチし指を左右に摺動すると、図６（ｄ）に示すように、第３のタブの設定条件内で、選択されたことを示す表示（図では、○印）が上下に移動する。例えば、右方向への移動によって○印を上から下へ、左方向への移動によって、○印を下から上へ移動させるようにする。図６（ｄ）の状態で、設定したい項目に○印を移動させて、所定時間（例えば、１秒程度）の間、ユーザが指の摺動を停止すると、選択された設定条件が決定される。その後、設定された条件の画面が表示される。
【００５４】
このように、設定モードの場合には、ローラ１４０の領域１４０ｆから領域１４０ｉのいずれかをタッチすると、設定のための第１タブから第４のタブのいずれかが選択され、さらに、その位置で左右に摺動することで、タブ内で摺動方向と異なる方向である上下方向に並んで表示された設定条件を選択し決定することができる。
【００５５】
次に、メニュー画像以外でのグループ画像の操作について説明する。図７（ａ）は、撮影時や再生時における画質の調整の様子を示す。この画質の調整は、予め、設定モード等において設定しておいてもよく、また、撮影モードや再生モードの際に、画質調整用のアイコンを選択することにより実行できるようにしておいてもよい。
【００５６】
画質調整モードに入ると、表示部２７には、図７（ａ）に示すように、彩度、明度、色調を表わすバーが表示される。また、ローラ１４０は領域１４０ｃから領域１４０ｅに３分割され、領域１４０ｃは彩度に対応し、領域１４０ｄは明度に対応し、領域１４０ｅは色調に対応する。
【００５７】
明度を調整したい場合には、領域１４０ｄに軽くタッチし、続いて左右いずれかの方向に摺動すると、設定を示す指針２７７が摺動方向と同方向に移動する。指を摺動させながら、ユーザの望む値に指針２７７を位置させ、その位置で所定時間（例えば、１秒程度）の間、停止すればよい。彩度を調整したい場合には領域１４０ｃを、色調を調整した場合には領域１４０ｅを、明度の場合と同様にタッチし摺動すればよい。
【００５８】
図７（ｂ）はアルバムモードにおけるサムネイル画像のスクロールを示す。再生モードにおいて、アルバム表示を選択すると、図７（ｂ）に示すようなサムネイル画像が表示される。ここで、サムネイル画像は、アルバムに対応して各行（図７（ｂ）の例ではＡからＤの４行）に分けられ、各行ごとに画像が並んで表示される。ローラ１４０は、サムネイル画像の行に合わせて、領域１４０ｋから領域１４０ｐに分割される（図７（ｂ）の例では４分割）。
【００５９】
サムネイル画像の選択は、選択したい画像の属する行に対応したローラ１４０の領域をタッチし、左右いずれかの方向に摺動することにより選択することができる。例えば、図７（ｂ）において、斜線を施した画像を選択したい場合には、領域１４０ｎにタッチすることにより、Ｃ行の最左の画像が選択され、続けて右に摺動することにより、選択画像が右側にずれていく。そこで、斜線を施した画像が選択されると、この位置で所定時間（例えば、１秒程度）の間、摺動を停止すれば、斜線を施した画像の選択が決定される。
【００６０】
このように、メニュー画像以外でも、縦横等、２次元的な配置がなされている場合、ローラ１４０の分割された領域をタッチすることにより、２次元的な配置の内の縦方向について選択がなされる。そして、その位置でローラ１４０を摺動することにより、２次元的な配置の内の横方向について選択を行うことができる。
【００６１】
次に、ローラ１４０を回転操作することにより、ライブビュー表示の表示形態を順次、切り替える様子を、図８を用いて説明する。前述したように、ローラ１４０は回転負荷が大きく設定してあるので、軽く回しても回転することはなく、左右いずれかに摺動操作となる。しかし、この摺動操作の力量よりも大きな力を印加することにより、ローラ１４０は回転するので、この回転を前述の摺動操作とは別の入力手段として利用することができる。本実施形態においては、この回転を検知することにより、ライブビュー表示の表示形態を切り替えるようにしている。
【００６２】
本実施形態においては、ライブビュー表示（ＬＶとも表示）の表示画像には、図８（ａ）に示すメニュー付きライブビュー画像、図８（ｂ）に示すライブビュー画像のみ、図８（ｃ）に示すヒストグラム付きライブビュー画像、図８（ｄ）に示す罫線付きライブビュー画像の４種類がある。そこで、ローラ１４０を時計方向に回転させることにより、メニュー付きライブビュー画像→ライブビュー画像のみ→ヒストグラム付きライブビュー画像→罫線付きライブビュー画像の順に表示形態を切り替えることができる。また、ローラ１４０を反時計方向に回転させることにより、逆の方向に表示形態を切り替えることができる。
【００６３】
次に、ローラ１４０に対する摺動操作を上述のメニュー切換えだけでなく、撮影モード時および再生モード時のズーム操作に利用した例を、図９を用いて説明する。電子ズーム操作が選択された場合に、ユーザはローラ１４０を縦方向、言い換えるとローラ１４０の回転軸方向に沿って摺動すると、ズーム処理が実行される。図９（ａ）に示される画像の状態において、ユーザがローラ１４０の上から下に向けて摺動すると、図９（ｂ）に示すように、ワイド側にズーミングを行う。また、ユーザがローラ１４０の下から上に向けて摺動すると、図９（ｃ）に示すようにテレ側にズーミングを行う。
【００６４】
次に、本実施形態の撮影モードを実行するためのフローについて、図１０ないし図１３に示すフローチャートを用いて説明する。このフローはプログラム／データ記憶部１２に記憶されているプログラムに従って制御部１１によって実行される。
【００６５】
撮影モードに入ると、まず、メニュー付きライブビュー表示を行う（Ｓ１１）。ここでは、撮像部２０から出力される画像データを画像処理部２２によって表示し、表示処理部２６を通じて表示部２７にライブビュー表示を行う。また、ライブビュー表示の際には、図４（ａ）に示すようなモードメニューおよび撮影モードの第１階層メニューの画像を生成し、ライブビュー画像にこれらの画像を重畳して表示する。撮影者は、ライブビュー表示を観察することによって構図を決定し、シャッタレリーズを行うことができる。
【００６６】
メニュー付きライブビュー表示を行うと、次に、ローラ操作されたか否かの判定を行う（Ｓ１２）。ここでは、ローラ検出部１６からの検出信号によって、ローラ１４０が操作されたか否かを判定する。この判定の結果、ローラ操作された場合には、次に、ローラ操作は回動操作か否かの判定を行う（Ｓ１３）。ここでは、ローラ１４０内のエンコーダ部１４２からの検出信号に基づいて、ローラ検出部１６内の回転方向・角度検出部１６３によって判定する。
【００６７】
ステップＳ１３における判定の結果、ローラ操作が回動操作であった場合には、次に、回動操作処理を行う（Ｓ１４）。ここでは、図８を用いて説明したように、ライブビュー表示の表示形態の切換えや、通常のサムネイル画像のスクロールを行う。この回動操作処理の詳しい動作は、図１１を用いて後述する。
【００６８】
ステップＳ１３における判定の結果、ローラ操作は回動操作でなかった場合には、次に、ローラ操作は左右の摺動操作か否かの判定を行う（Ｓ１５）。ここでは、ローラ１４０の内のタッチパッド１４１からの検出信号に基づいて、ローラ検出部１６内の摺動方向・量検出部１６１によって判定する。
【００６９】
ステップＳ１５における判定の結果、ローラ操作は左右の摺動操作であった場合には、次に、グループ画像表示中か否かの判定を行う（Ｓ１６）。ここでは、図４ないし図７において説明したようなアイコンやタブ等をグループにして表示しているか否かの判定を行う。この判定の結果、グループ画像の表示中であった場合には、次に、グループ画像別操作処理を行う（Ｓ１７）。ここでは、図４ないし図７において説明したような処理を行う。このグループ画像別処理の詳しい動作は、図１２を用いて後述する。
【００７０】
ステップＳ１５における判定の結果、ローラ操作は左右の摺動操作でなかった場合には、次に、ローラ操作は上下の摺動操作であったか否かの判定を行う（Ｓ１８）。ここでは、ローラ１４０の内のタッチパッド１４１からの検出信号に基づいて、ローラ検出部１６内の摺動方向・量検出部１６１によって判定する。
【００７１】
ステップＳ１８における判定の結果、ローラ操作が上下の摺動操作であった場合には、次に、表示中であるか否かの判定を行う（Ｓ１９）。ここでは、撮影モードであればライブビュー表示中であるか、また再生モードであれば再生画像の表示中であるか否かを判定する。この判定の結果、画像表示中であれば、次に、ズーム処理を行う（Ｓ２０）。ここでは、図９を用いて説明したような電子ズームを実行する。このズーム処理の詳しい動作については、図１３を用いて後述する。
【００７２】
ステップＳ１８における判定の結果、ローラ操作は上下の摺動操作でなかった場合、またはステップＳ２０のズーム処理を行うと、またはステップＳ１９における判定の結果、画像表示中でなかった場合、またはステップＳ１７のグループ画像別操作処理を行うと、またはステップＳ１６における判定の結果、グループ画像表示中でなかった場合、またはステップＳ１４の回動操作処理を行うと、またはステップＳ１２における判定の結果、ローラ操作されていなかった場合には、次に、モードは撮影モードか否かの判定を行う（Ｓ２１）。
【００７３】
ステップＳ２１における判定の結果、撮影モードが設定されていた場合には、撮影用処理を行う（Ｓ２２）。ここでは、レリーズ釦の半押しに応じてＡＦやＡＥを実行し、またレリーズ釦の全押しに応じて撮像部２０から取得した画像データを処理した後、画像記録部２５に記録する等、通常の撮影動作を実行する。一方、ステップＳ２１における判定の結果、撮影モードでなかった場合には、次に、再生用処理を行う（Ｓ２３）。ここでは、設定されている再生モードに応じて、画像の再生表示等を行う。
【００７４】
ステップＳ２２において撮影用処理を行うと、またはステップＳ２３において再生用処理を行うと、次に、電源オフ操作がなされたか否かの判定を行う（Ｓ２４）。ここでは、ボタン操作部１３の電源スイッチが操作されたか否かを判定する。この判定の結果、電源オフ操作がなされていなかった場合には、ステップＳ１２に戻る。一方、電源オフ操作がなされた場合には、電源オフ処理を行った後、このフローを終了する。
【００７５】
次に、ステップＳ１４における回動操作処理について、図１１に示すフローチャートを用いて説明する。回動操作処理のフローに入ると、まず、撮影モードか否かの判定を行う（Ｓ３１）。ここでは設定されているモードに基づいて判定する。
【００７６】
ステップＳ３１における判定の結果、撮影モードであった場合には、次に、画面のモードをサイクリックに切り替える（Ｓ３２）。ここでは、図８を用いて説明したように、ローラ１４０が回動されるたびに、メニュー付きライブビュー画像→ライブビュー画像のみ→ヒストグラム付きライブビュー画像→罫線付きライブビュー画像の順、または逆順に表示形態を切り替える。
【００７７】
続いて、選択された付加画像をライブビューに合成して表示する（Ｓ３３）。ここでは、ライブビュー画像に、選択された表示形態に応じた付加画像を合成する。付加画像としては、メニュー付きライブビュー画像の場合には、図４に示すようなメニューモードや撮影モードの画像であり、ヒストグラム付きライブビュー画像の場合には、図８（ｃ）に示すような輝度分布を示すヒストグラムや撮影条件等であり、また、罫線付きライブビュー画像の場合には、図８（ｄ）に示すような縦横の罫線である。
【００７８】
ステップＳ３１における判定の結果、撮影モードでなかった場合には、再生モードであり、この場合には、サムネイル表示か否かの判定を行う（Ｓ３４）。サムネイル表示は、再生モード中に、ボタン操作部１３のテレ／ワイドボタンを操作することによりサムネイル表示に切り換わるので、このステップでは、テレ／ワイドボタンが操作されたか否かの判定を行う。この判定の結果、サムネイル表示であった場合には、サムネイル切換えを行う（Ｓ３５）。ここでは、ローラ１４０の回動操作に応じて、再生画像の送りまたは戻しを行う。
【００７９】
ステップＳ３３またはステップＳ３５における処理を実行すると、またはステップＳ３４における判定の結果、サムネイル表示でなかった場合には、回動操作処理のフローを終了し、元のフローに戻る。
【００８０】
次に、ステップＳ１７におけるグループ画像別操作処理について、図１２に示すフローチャートを用いて説明する。グループ画像別処理のフローに入ると、まず、ローラ操作の位置を検出する（Ｓ４１）。ここでは、ユーザのタッチ位置を、接触位置検出部１６２による検出結果に基づいて判定する。判定にあたっては、図４（ａ）〜（ｃ）のように、２段でメニューが表示されている場合には、ローラ１４０の２分割した場合の何れの領域か、また図４（ｄ）の３段でメニューが表示されている場合には、ローラ１４０の３分割した場合の何れの領域に属しているか等、表示形態に合わせて分割された領域の何れに属しているかを判定する。
【００８１】
続いて、対象はメニュー表示か否かを判定する（Ｓ４２）。ここでは、図４〜図６の各種メニュー表示、または図７（ａ）における画質調整のようなメニュー画像以外のグループ画像の表示か否かを判定する。
【００８２】
ステップＳ４２における判定の結果、対象がメニュー表示であった場合には、次に、操作位置に応じてメニューの割り当て順番から操作階層を特定する（Ｓ４３）。ここでは、例えば、図４（ｂ）のように２分割されている場合に領域１４０ａがタッチされた場合には、第１階層のメニューであると判定する。また、図４（ｄ）のように３分割されている場合に領域１４０ｄがタッチされた場合には第２階層のメニューであると判定する。
【００８３】
次に、摺動方向と量に応じて条件を特定する（Ｓ４４）。ここでは、摺動方向・量検出部１６１によって検出された摺動方向と量に応じて条件を特定する。例えば、図４（ｂ）のように２分割されている場合に、ユーザが領域１４０ａを摺動すると、その方向に応じて、カーソル２７５を移動させ、所定時間の間、摺動が停止すれば、その位置に対応するメニューの条件を選択する。また、図７（ａ）に示すような画質調整の表示状態において、ユーザが領域１４０ｄを摺動すると、その方向に応じて指針２７７を移動させ、所定時間の間、摺動が停止すれば、その位置の明度に設定する。
【００８４】
次に、サブメニューがあるか否かの判定を行う（Ｓ４５）。例えば、図４（ｃ）に示される表示状態において、ホワイトバランス（ＷＢ）のモードが選択されると、このモードではさらに、自動、屋外晴天、屋外曇天等のサブメニューが存在する。そこで、このステップでは、第２階層にあたるサブメニューが存在するか否かの判定を行う。ステップＳ４５における判定の結果、サブメニューが有る場合には、次に、サブメニューの表示を行う（Ｓ４６）。
【００８５】
ステップＳ４２における判定の結果、対象がメニュー表示でなかった場合には、次に、再生モードでのアルバム表示か否かの判定を行う（Ｓ５１）。アルバム表示は、図５（ｂ）〜（ｄ）に示す中段表示部２７２において、左から３番目のアルバムのアイコンが選択された場合に設定される。
【００８６】
ステップＳ５１における判定の結果、アルバム表示であった場合には、次に、操作位置に応じてアルバムの割り当て順番からアルバムを特定する（Ｓ５２）。ここでは、図７（ｂ）を用いて説明したように、ローラ１４０のタッチ位置に応じて、Ａ行〜Ｄ行のいずれかのアルバムを特定する。アルバムを特定すると、次に、摺動方向と量に応じて画像をスクロールする（Ｓ５３）。ここでは、摺動方向・量検出部１６１によって検出された摺動方向と量に応じて、画像を順次スクロールする。
【００８７】
ステップＳ４６におけるサブメニュー表示を行うと、またはステップＳ４５における判定の結果、サブメニューがなかった場合には、またはステップＳ５３における画像のスクロールを行うと、またはステップＳ５１における判定の結果、再生モードでのアルバム表示でなかった場合には、元のフローに戻る。
【００８８】
次に、ステップＳ２０におけるズーム処理について、図１３に示すフローチャートを用いて説明する。ズーム処理のフローに入ると、まず、摺動方向は上方向か否かの判定を行う（Ｓ６１）。ここでは、摺動方向・量検出部１６１によって摺動方向が上方向か否かを判定する。
【００８９】
ステップＳ６１における判定の結果、上方向であった場合には、次に、設定されているモードが撮影モードか否かの判定を行う（Ｓ６２）。この判定の結果、撮影モードであれば、焦点距離を長焦点方向（テレ側）に変化させる（Ｓ６３）。ここでは、撮像部２０の焦点距離を焦点距離調整機構によって長焦点距離側に変化させる。
【００９０】
ステップＳ６２における判定の結果、撮影モードでなかった場合には、次に、電子ズームで画像を拡大する（Ｓ６４）。ここでは、再生モードであることから、画像を電子ズームによって拡大する。拡大は、画像データから一部を切り出し、この切り出した画像データを、元と同じサイズで再生すればよい。
【００９１】
ステップＳ６１における判定の結果、摺動方向は上方向でなかった場合には、摺動方向は下方向であり、次に、ステップＳ６２と同様に、撮影モードか否かの判定を行う（Ｓ６５）。この判定の結果、撮影モードであった場合には、焦点距離を短焦点方向（ワイド側）に変化させる（Ｓ６６）。ここでは、撮像部２０の焦点距離を焦点距離調整機構によって短焦点距離側に変化させる。
【００９２】
ステップＳ６５における判定の結果、撮影モードでなかった場合には、次に、電子ズームで画像を縮小する（Ｓ６７）。ここでは、再生モードであることから、画像を電子ズームによって縮小する。縮小は、画像データのサイズを小さくすることにより行う。
【００９３】
ステップＳ６３、ステップＳ６４、ステップＳ６６、またはステップＳ６７における処理を行うと、元のフローに戻る。
【００９４】
以上、説明したように、本発明の一実施形態においては、モードメニュー、第１階層メニュー、第２階層メニュー，タブ等、画像グループの各項目を一定の順番で並べ、またこの並びに沿った方向に、ローラ１４０の回転軸が沿うように配置している。また、ローラ１４０にはタッチ位置と摺動方向を検知するためのタッチパッドを設け、ユーザのタッチ位置と摺動方向を検知している。そして、ローラ１４０の領域を各項目に対応するように設定している。このため、ユーザはローラ１４０の対応する領域をタッチし、摺動する動作で、２次元的に配置された項目を迅速に選択することが可能となる。
【００９５】
また、本発明の一実施形態においては、ローラ１４０の摺動操作を検知する以外に、回転を検知するエンコーダ部１６３を設けている。このため、ローラ１４０のタッチ位置と摺動方向以外にローラ１４０の回動方向によっても項目の選択を行うことができる。
【００９６】
次に、本発明の一実施形態のローラ部１４の変形例について図１４および図１５を用いて説明する。図１４（ａ）は、第１の変形例であって、ローラ１４０Ａはデジタルカメラ１０の外部に露出している部分が円柱形状であり、回転不能であり、デジタルカメラ１０の本体の側部に固定されている。ローラ１４０Ａは固定されていることから、ローラ１４０Ａはエンコーダ部を有しておらず、タッチパッド１４１のみを有する。また、ローラ検出部１６Ａは回転方向・角度検出部を有しておらず、摺動方向・量検出部１６１および接触位置検出部１６２のみを有する。
【００９７】
この第１の変形例は、ローラ１４０の回転方向を検出することができないことから、図８を用いて説明した、ライブビュー表示の際の表示形態の切り替えを行うことはできないが、それ以外の処理であれば、実行することができる。
【００９８】
次に、図１４（ｂ）に第２の変形例のローラ部１４を示す。ローラ１４０Ｂは、回転可能であるが、タッチパッド１４１に代えて、圧電センサ１４４が設けられている。この圧電センサ１４４は、図１４（ｃ）に示すように、リング形状で、ローラ１４０Ｂの軸方向にほぼ一定間隔で外周に嵌め込まれるようにして、複数設けられている。回転と同時に電圧に変化の有った圧電センサ１４４を検出することによって、およそ軸上のどの位置でタッチされたかを特定することができる。
【００９９】
ローラ１４０Ｂは、エンコーダ部１４２と圧電センサ１４４を有する。ローラ検出部１６Ｂは、圧電センサ１４４から検出出力を入力する接触位置検出部１６２と、エンコーダ部１４２から検出出力を入力する回転方向・角度検出部１６３を有する。
【０１００】
この第２の変形例は、ローラ１４０を指で摺動した際の摺動方向を検出することができないから、グループ画像内での選択を行うことができない。しかし、図８を用いて説明した、ライブビュー表示の際の表示形態の切り替えを行うことはできる。
【０１０１】
次に、図１５に第３の変形例のローラ部１４を示す。本発明の一実施形態や、第１および第２の変形例においては、ローラ１４０、１４０Ａ、１４０Ｂは、いずれもデジタルカメラ１０の本体の側端部に配置しており、言い換えると、表示部２７の短辺方向に沿って、長軸が配置されていた。第３の変形例においては、図１５（ａ）に示すよう用に、ローラ１４０Ｃを、デジタルカメラ１０の本体の底面側の端部近傍に配置しており、言い換えると、表示部２７の長辺方向に沿って、長軸を配置している。
【０１０２】
第３の変形例においては、ローラ１４０Ｃを表示部２７の長辺方向に沿って配置しているが、表示部２７におけるメニュー表示等は、図１５（ｂ）に示すように、短辺方向に沿って、順番に配列する。そして、画面の一番左側の列に並べたグループ画像は、ローラ１４０Ｃの一番左側の領域に対応させ、画面の二番目に左側の列に並べたグループ画像は、ローラ１４０Ｃの中央の領域に対応させ、画面の一番右側の列に並べたグループ画像は、ローラ１４０Ｃの一番右側の領域に対応させる。
【０１０３】
このように、第３変形例においても、メニュー等のグループ画像は一定の順番に並べ、この順番とローラ１４０Ｃの領域の割り当てを対応付けるようにしている。このような対応関係を付けることにより、本発明の一実施形態と同様に、情報入力を行うことができる。
【０１０４】
以上説明したように、本発明の一実施形態や変形例においては、入力制御部１１ａは、摺動操作がなされた円柱部材（ローラ１４０）の位置に応じて、各画像グループの中から対応する画像グループを選択するグループ選択部１１ｂを有し、このグループ選択部１１ｂは、一定の順番で並ぶようにされた各画像グループの少なくとも一部を基準として各画像グループの割り当て順番を決めると共に、摺動操作が行われた円柱部材（ローラ１４０）の軸方向での位置である操作位置と割り当て順番等を関係付けて、操作位置に対応する画像グループを各画像グループの中から選択し、入力制御部１１ａは選択された画像グループに属する操作可能な画像に対して摺動操作を入力するようにしている。このため、２次元的に配置されている項目の内、操作位置を検知することによって画像グループを指定し、さらに操作位置からの摺動を検知することによって画像グループ内での項目を指定することができる。したがって、ワンタッチ＋摺動で項目を指定でき、スピーディに所望の項目を指定することができる。
【０１０５】
なお、本発明の一実施形態や変形例においては、ローラ１４０を領域１４０ａ〜１４０ｐに分割する際に、ローラ１４０の全領域を等分割していたが、これに限らず、一部分を等分割してもよく、不等分割であってもよい。その場合には、分割領域を表示するようにすればよい。
【０１０６】
また、本発明の一実施形態や変形例においては、情報入力部材として、ローラ１４０を用いていたが、ローラは第１の変形例に示したように、固定され回転不能でもよく、また、円柱形状に限らず、棒状等、他の形状でもよい。さらに、本発明の一実施形態や変形例においては、画像グループとしては、アイコンやタブから構成されていたが、これに限らず、記号や文字等で構成されていても勿論かまわない。
【０１０７】
また、本発明の一実施形態や変形例においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）、ゲーム機器等に内蔵されるカメラでも構わない。
【０１０８】
さらに、本発明の一実施形態や変形例においては、入力装置として、デジタルカメラに適用した例を説明したが、入力装置としてはデジタルカメラ等の撮影機器に限らず、表示部を有し、またこの表示部を利用して情報入力を行う機器であれば、本発明を適用することができる。
【０１０９】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【０１１０】
１０・・・デジタルカメラ、１１・・・制御部（ＣＰＵ）、１１ａ・・・入力制御部、１１ｂ・・・グループ選択部、１１ｃ・・・表示制御部、１２・・・プログラム／データ記憶部、１３・・・ボタン操作部、１４・・・ローラ部、１６・・・ローラ検出部、１６Ａ・・・ローラ検出部、１６Ｂ・・・ローラ検出部、２０・・・撮像部、２１・・・ＳＤＲＡＭ、２２・・・画像処理部、２３・・・圧縮伸張部、２４・・・記録再生部、２５・・・画像記憶部、２６・・・表示処理部、２７・・・表示部、３０・・・バス、１４０・・・ローラ、１４０Ａ〜１４０Ｃ・・・ローラ、１４０ａ〜１４０ｐ・・・領域、１４１・・・タッチパッド、１４２・・・エンコーダ部、１４４・・・圧電センサ、１６１・・・移動方向・量検出部、１６２・・・接触位置検出部、１６３・・・回転方向・角度検出部、２７１・・・最下段表示部、２７２・・・中段表示部、２７３・・・上段表示部、２７５・・・カーソル、２７６・・・カーソル、２７７・・・指針
【図１】
0005528133.tif 000002
【図２】
0005528133.tif 000003
【図３】
0005528133.tif 000004
【図４】
0005528133.tif 000005
【図５】
0005528133.tif 000006
【図６】
0005528133.tif 000007
【図７】
0005528133.tif 000008
【図８】
0005528133.tif 000009
【図９】
0005528133.tif 000010
【図１０】
0005528133.tif 000011
【図１１】
0005528133.tif 000012
【図１２】
0005528133.tif 000013
【図１３】
0005528133.tif 000014
【図１４】
0005528133.tif 000015
【図１５】
0005528133.tif 000016